(57)【要約】【課題】引込線の下方から新規の架設線（吊線）を支持することなく、電柱間に新規の架設線を架設できるようにする。【解決手段】電柱５１間に架設されている既設の架設線５３の下方に、他の架設線５６が交差している場合に、前記電柱５１間に新規の架設線Ｃを架設するための架設線用補助装置であって、起立した状態において、上端部２ａが前記他の架設線５６の上方に位置すると共に、起立した状態から曲げられることによって弾性力が生じるように構成される棒材２と、前記新規の架設線Ｃに一端部が連結されるとともに、他端部が飛体部材３０に連結される案内線材２０と、棒材２の上端部２ａに設けられ、飛体部材３０が棒材２の軸線に対して交差するように係止される係止部２５とを備える。【選択図】図１
2011166978.tif 000002
【特許請求の範囲】
【請求項１】
電柱（５１，…）間に架設されている架設線（５３）の下方に、他の架設線（５６，…）が交差している場合に、前記電柱（５１，…）間に新規の架設線（Ｃ）を架設するための架設線用補助装置であって、
起立した状態において、上端部（２ａ，２００ａ）が前記他の架設線（５６，…）の上方に位置すると共に、起立した状態から曲げられることによって弾性力が生じるように構成される棒材（２，２００）と、
棒材（２，２００）の上端部（２ａ，２００ａ）に設けられ、前記新規の架設線（Ｃ）、または該新規の架設線（Ｃ）に一端部が連結される案内線材（２０）のうち、いずれかの他端部に連結される飛体部材（３０）を、棒材（２，２００）の軸線に対して交差するように係止する係止部（２５，２５０）とを備え、
新規の仮設線（Ｃ）、案内線材（２０）、または棒材（２，２００）あるいは係止部（２５，２５０）に操作用線材（２０Ａ）が連結される場合の該操作用線材（２０Ａ）のうち、いずれかを引っ張って、起立した状態の棒材（２，２００）を曲げて飛体部材（３０）を射出するようにしたことを特徴とする架設線用補助装置。
【請求項２】
電柱（５１，…）間に架設されている架設線（５３）の下方に、他の架設線（５６，…）が交差している場合に、前記電柱（５１，…）間に新規の架設線（Ｃ）を架設するための架設線用補助装置であって、
直立して設置される支柱（３００）、および該支柱（３００）に回動自在に支持され、起立した状態において、上端部（２０１ａ）が前記他の架設線（５６，…）の上方に位置するアーム（１０Ａ）を有する棒材（２０１）と、
棒材（２０１）の上端部（２０１ａ）に設けられ、前記新規の架設線（Ｃ）、または該新規の架設線（Ｃ）に一端部が連結される案内線材（２０）のうち、いずれかの他端部に連結される飛体部材（３０）を、棒材（２０１）の軸線に対して交差するように係止する係止部（２５１）とを備え、
新規の架設線（Ｃ）、案内線材（２０）、またはアーム（１０Ａ）あるいは係止部（２５１）に操作用線材（２０Ａ）が連結される場合の該操作用線材（２０Ａ）のうち、いずれかを引っ張って、倒れた位置から起立する位置にアーム（１０Ａ）を回動させて飛体部材（３０）を射出するようにしたことを特徴とする架設線用補助装置。
【発明の詳細な説明】
【技術分野】
【０００１】
本発明は、電柱間に架設された既設の架設線（配電線）から、該架設線に対して交差するように引込線が分岐された状態、あるいは、電柱間に架設された高圧及び低圧の架空電線に対して、電話線や有線放送線などの架空弱電流電線が交差するように架設された状態において、前記電柱間に、吊線や光ケーブルなどの新規の架設線を架設する場合に使用される架設線用補助装置に関する。
【背景技術】
【０００２】
従来より、例えば、電柱間に、高圧及び低圧の架空電線の他、電話線、有線放送やケーブルテレビなどの架空弱電流電線が供架されている場合、該架空弱電流電線を需用者に引き込むための引込線が、架空電線から交差するように分岐されているのが一般的である。この状態で、電柱間に新規の架設線を架設しようとする場合、電柱間に吊線を架設する必要がある。
【０００３】
該吊線を電柱間に架設する手順としては、例えば、引込線を挟む両側と引込線の真下にそれぞれ作業者を配置し、引込線を跨ぐようにして一方から他方に掛け渡した吊線を、引込線の真下に配置された作業者が、棒などを用いて下方から押し上げて支持する。つまり、吊線と引込線との接触を回避し、吊線の荷重が引込線に係らないようにする。この状態で、他方の作業者が、吊線を一方から他方へ手繰り寄せて、電柱間に吊線を架設している。また、例えば、引込線を挟む両側に作業者を配置し、一方の作業者が他方の作業者に通し綱をまるめて投げて、引込線をまとめてかわすこともある。
【０００４】
また、他の従来例として、ワイヤ、ロープ等からなるガイド部材と、該ガイド部材が連結される、合成樹脂製の軟質のボールからなる飛翔体と、両端部が二股状の固定基部に固定されたゴムバンドとを備えた配線支援装置を用いて、電柱間に吊線を架設するものが公知になっている（例えば、特許文献１参照）。
【０００５】
この場合、一方の電柱に登った作業者（射出側）が、ゴムバンドの略中央部に飛翔体を当てがい、該ゴムバンドを飛翔体と共に、作業者の手元に引き寄せた後、ゴムバンドを離すことによって、飛翔体がゴムバンドの弾性力によって、他方の電柱に登った作業者（受け取る側）に射出される。そして、射出側と受け取る側の作業者の間にガイド部材が掛け渡される。この状態において、受け取る側の作業者は、掛け渡されたガイド部材の端部に吊線を結び付ける。その後、射出側の作業者が、ガイド部材を手繰り寄せることによって、電柱間に吊線が架設されるようになる。
【先行技術文献】
【特許文献】
【０００６】
【特許文献１】特開平１０−３０９０１６号公報
【発明の概要】
【発明が解決しようとする課題】
【０００７】
しかしながら、吊線を引込線の下方から支持して電柱間に架設する場合、その作業が煩雑で多大の労力を要していた。また、通し綱を用いる場合、引込線をまとめてかわすことはできると考えられるが、通し綱は、直径が太くて、重量が大きいため、通し綱をまるめて、高い方を目掛けて、即ち複数の引込線を飛び越して反対側に位置する作業者に届くように投げようとすると、通し綱を投げるための多大の力が必要になることに加えて、そのコントロールが要求される。したがって、引込線を飛び越して、通し綱を反対側の作業者の位置に投げるのはとても難しく、通し綱を引込線に引っ掛けてしまうことが多々ある。また、通し綱を反対側に位置する作業者にうまく投げられたとしても、上記と同様に、通し綱を引込線の下方から支持する必要があり、作業性はよくない。
【０００８】
一方、配線支援装置を用いた場合、単に電柱間に吊線を架設する場合は、有効に適用されるが、引込線が架設されている場合は、ガイド部材が引込線に接触しないように、ガイド部材を引込線の下方から支持する必要があり、前記と同様の問題が生じると考察される。
【０００９】
本発明は、このような実情に鑑みてなされ、電柱間に架設されている架設線に対して、交差するように他の架設線（引込線や架空弱電流電線）が架設されている状態で、前記電柱間に新規の架設線（吊線や光ケーブル）を架設しようとする場合、他の架設線の下方から新規の架設線を支持することなく、電柱間に新規の架設線を架設できるようにした架設線用補助装置を提供することを目的とする。
【課題を解決するための手段】
【００１０】
本発明に係る架設線用補助装置は、電柱５１，…間に架設されている架設線５３の下方に、他の架設線５６，…が交差している場合に、前記電柱５１，…間に新規の架設線Ｃを架設するための架設線用補助装置であって、起立した状態において、上端部２ａ，２００ａが前記他の架設線５６，…の上方に位置すると共に、起立した状態から曲げられることによって弾性力が生じるように構成される棒材２，２００と、棒材２，２００の上端部２ａ，２００ａに設けられ、前記新規の架設線Ｃ、または該新規の架設線Ｃに一端部が連結される案内線材２０のうち、いずれかの他端部に連結される飛体部材３０を、棒材２，２００の軸線に対して交差するように係止する係止部２５，２５０とを備え、新規の仮設線Ｃ、案内線材２０、または棒材２，２００あるいは係止部２５，２５０に操作用線材２０Ａが連結される場合の該操作用線材２０Ａのうち、いずれかを引っ張って、起立した状態の棒材２，２００を折り曲げて飛体部材３０を射出するようにしたことを特徴とする。
【００１１】
なお、ここでいう他の架設線５６とは、電話線や有線放送線などの架空弱電流電線、光ケーブル、これらの引込線を含む。また、新規の架設線Ｃとは、吊線や光ケーブルを含むものとする。
【００１２】
この場合、棒材２，２００が起立した状態において、新規の架設線Ｃ、案内線材２０、または棒材あるいは係止部２５，２５０に連結される操作用線材２０Ａが連結される場合の該操作用線材２０Ａのうち、いずれかを引っ張って、棒材２，２００を曲げた状態にする。この際、棒材２，２００は曲げられたことで、弾性力が生じることになる。そして、引っ張られた状態の新規の架設線Ｃ、案内線材２０、操作用線材２０Ａのうちのいずれかを離すと、棒材２，２００の弾性力が放勢されて、飛体部材３０が、係止部２５，２５０から離間して、他の架設線５６，…を飛び越えて射出される。この際、飛体部材３０に連結された新規の架設線Ｃまたは案内線材２０のうちのいずれかは、係止部２５，２５０に支持されるので、他の架設線５６，…を跨るようにして掛け渡される。そして、飛体部材３０を受け取った側から新規の架設線Ｃまたは案内線材２０のうちのいずれかを手繰り寄せることで、新規の架設線Ｃが他の架設線５６，…を跨るようにして掛け渡される。
【００１３】
また、本発明に係る架設線用補助装置は、電柱５１，…間に架設されている架設線５３の下方に、他の架設線５６，…が交差している場合に、前記電柱５１，…間に新規の架設線Ｃを架設するための架設線用補助装置であって、直立して設置される支柱３００、および該支柱３００に回動自在に支持され、起立した状態において、上端部２０１ａが前記他の架設線５６，…の上方に位置するアーム１０Ａを有する棒材２０１と、棒材２０１の上端部２０１ａに設けられ、前記新規の架設線Ｃ、または該新規の架設線Ｃに一端部が連結される案内線材２０のうち、いずれかの他端部に連結される飛体部材３０を、棒材２０１の軸線に対して交差するように係止する係止部２５１とを備え、新規の架設線Ｃ、案内線材２０、またはアーム１０Ａあるいは係止部２５１に操作用線材２０Ａが連結される場合の該操作用線材２０Ａのうち、いずれかを引っ張って、倒れた位置から起立する位置にアーム１０Ａを回動させて飛体部材３０を射出するようにしたことを特徴とする。
【００１４】
この場合、新規の架設線Ｃ、案内線材２０、アーム１０Ａまたは係止部２５１に連結された操作用線材２０Ａのうち、いずれかを引っ張って、アーム１０Ａを倒れた位置から起立する位置に回動させて飛体部材３０を射出する。この際、飛体部材３０に新規の架設線Ｃが連結されている場合は、新規の架設線Ｃが他の架設線５６，…を跨るようにして掛け渡される。一方、飛体部材３０に案内線材２０が連結されている場合は、他の架設線５６，…を跨るようにして掛け渡された案内線材２０を手繰り寄せることで、新規の架設線Ｃが他の架設線５６，…を跨るようにして掛け渡される。
【発明の効果】
【００１５】
本発明の架設線用補助装置は、起立した状態から曲げられることによって弾性力が生じるように構成される棒材の上端部が、起立した状態において、電柱間に架設されている架設線に対して、交差するように架設されている他の架設線の上方に位置しているので、曲げられた棒材の弾性力によって、他の架設線を飛び越えるように、新規の架設線または新規の架設線に一端部が連結される案内線材のうち、いずれかの他端部に連結される飛体部材を射出することによって、他の架設線に接触することなく、新規の架設線を架設できるので、他の架設線に支障をきたすことなく、新規の架設線を電柱間に架設することができ、作業効率が大幅に向上する。
【図面の簡単な説明】
【００１６】
【図１】本発明の一実施形態に係る架設線用補助装置が使用される作業現場の概略斜視図。
【図２】架設線用補助装置の棒材のアームが起立（直立）した状態から曲げられた状態（飛体部材の射出準備状態）を示す斜視図。
【図３】架設線用補助装置の棒材のアームが起立した状態に戻った状態（飛体部材が射出された状態）を示す斜視図。
【図４】架設線用補助装置の回動部分の拡大断面図。
【図５】架設線用補助装置の飛体部材を示す斜視図。
【図６】（ａ）〜（ｄ）は、一実施形態に係る架設線用補助装置を概略的に示した使用説明図。
【図７】（ａ）、（ｂ）は、他の実施形態に係る架設線用補助装置の使用説明図。
【図８】支柱の上端部にアームが回転自在に支持された他の実施形態に係る架設線用補助装置であって、アームが水平位置（スタンバイ位置）に支持された状態を示す斜視図。
【図９】支柱の上端部とアームの基端部との回動支持部を示す断面図。
【図１０】アームが水平位置（スタンバイ位置）から回動されて起立した位置（射出位置）に移動した状態を示す斜視図。
【発明を実施するための形態】
【００１７】
以下、本発明の一実施形態に係る架設線用補助装置について図１〜図６を参照しつつ詳細に説明する。
まず、架設線用補助装置が使用される作業現場について図１を参照して説明する。該作業現場５０は、路面に沿うように所定の間隔をおいて複数の電柱５１，…が立設されている。そして、各電柱５１，…の上側の腕金５２に高圧架空電線５３，…が架設されると共に、該高圧架空電線５３，…の下方に所定の間隔をおいて低圧架空電線が架設されている。具体的には、下側の腕金に低圧架空電線が架設されている（図示せず）。さらに、低圧架空電線の下方に、架空弱電流電線（電話線や有線放送線など）５５，…が架設されると共に、該架空弱電流電線５５，…の引込線５６，…が、架空弱電流電線５５，…に対して交差するように架設されている。
【００１８】
つぎに、本実施形態に係る架設線用補助装置について、図１〜図５を参照して説明する。該架設線用補助装置１は、起立（直立）した状態において、上端部２ａが引込線５６，…の上方に位置すると共に、起立した状態から曲げられることによって弾性力が生じるように構成される棒材２と、吊線Ｃに一端部が連結されるとともに、他端部に飛体部材３０が連結される案内線材２０と、棒材２の上端部２ａに設けられ、案内線材２０の他端部が棒材２の軸線に対して交差するように挿通されて、飛体部材３０が係止される係止部としての挿通部２５とで構成されている。
【００１９】
棒材２は、図４に示すように、上端部２ａに支軸４が水平方向に貫設されると共に、下端部に三脚５が取り付けられた支柱３と、該支柱３の外周面に、該外周面に対して直交方向に固着された下係止杆６と、基端部に、該支軸４の軸受け部１１を有すると共に、先端部に、後述する挿通部２５が設けられたアーム１０と、該アーム１０の外周面に、該外周面に対して直交方向に固着された上係止杆１２と、支軸４の一端部に外挿されて、一端部が支柱３の下係止杆６に係止すると共に、他端部がアーム１０の上係止杆１２に係止し、支柱３に対してアーム１０が離間する方向に常時付勢する鶴巻バネ１５と、支柱３の上端部から上方に延出されたストッパ１６とを備えている。
【００２０】
そして、軸受け部１１は、貫通して外部に導出された支軸４の両端部が遊挿される一対の支持片１１ａ，１１ａと、該支持片１１ａ，１１ａを連結すると共に、支柱３の上端部が遊嵌される幅寸法を有する連結片１１ｂとを備えている。また、ストッパ１６は、鶴巻バネ１５によって付勢された支柱３とアーム１０が同一軸線上に位置するように、アーム１０の位置を規制している。
【００２１】
案内線材２０は、ワイヤやロープからなり、引込線５６，…を跨ぐように、一方の作業者Ａ側の位置から他方の作業者Ｂ側に落下できる充分な長さを有している。そして、案内線材２０の端部には、図５に示すように、後述する飛体部材３０の連結部材３５の連結孔３５ａに係脱する係止リング２１が取り付けられている。
【００２２】
挿通部２５は、棒材２の上端部２ａ、即ちアーム１０の上端部の中心に直立して取り付けられる支持部２５ａと、案内線材２０が挿通可能な内径を有すると共に、飛体部材３０の第１スカート部３１の下端開口部の端面が当接（係止）する直径を有する環状部２５ｂとを備えている。
【００２３】
飛体部材３０は、合成樹脂で作製された軟質の中空体であり、その外形が略円錐状に形成されている。具体的に説明すると、下端部から順に配置された大中小の円台錐形状の第１〜第３スカート部（襞部）３１〜３３と、該第３スカート部３３の端面、即ち上端部の端面に配置された半球面状の錘３４と、一端部が錘３４に連結されると共に、他端部に、上述した案内線材２０の係止リング２１が係脱する連結孔３５ａを有する連結部材３５とを備えている。そして、飛体部材３０は、飛ばされた際に、第１〜第３スカート部３１〜３３によって、空気抵抗をできる限り受けないように、狙った位置に落下するように工夫されている。
【００２４】
つぎに使用態様について図１〜図３及び図６（ａ）〜（ｄ）を参照して説明する。まず、飛体部材３０に連結された案内線材２０を棒材２の挿通部２５に予め挿通させた架設線用補助装置１を準備すると共に、図１に示すように、引込線５６，…を挟む位置にそれぞれ作業者Ａ、Ｂを配置する。
【００２５】
そして、一方の作業者Ａは、棒材２の挿通部２５の環状部２５ｂに挿通された案内線材２０を手前に引っ張って、飛体部材３０の第１スカート部３１の下端開口部の端面、即ち最下部の襞部の端面を、環状部２５ｂに当接させる。即ち、飛体部材３０を挿通部２５に係止させる。
【００２６】
その後、図２及び図６（ａ）に示すように、棒材２の三脚５が地面から離間しないように足などで固定しつつ、案内線材２０を強く手前に引っ張って、直立した状態の棒材２のアーム１０を、鶴巻バネ１５の弾性に抗して、斜め下方の位置まで折り曲げる。この際、他方の作業者Ｂの位置にうまく届くように、飛体部材３０が挿通部２５の環状部２５ｂから離脱して、引込線５６，…を飛び越えて、他方の作業者Ｂに届くまでに描く放物線（図１の一点鎖線）を想定しつつ、アーム１０の曲げ角度と飛体部材３０の向きを調整する。そして、アーム１０が曲げられることによって、鶴巻バネ１５の弾性力が蓄勢される。即ち、アーム１０が元の位置（直立した位置）に戻ろうとする力が蓄えられる。
【００２７】
つぎに、一方の作業者Ａが案内線材２０から手を離すと、蓄勢された鶴巻バネ１５の弾性力が放勢されて、図３及び図６（ｂ）に示すように、引込線５６，…を飛び越えて、他方の作業者Ｂ側に飛体部材３０が落下する。つまり、他方の作業者Ｂに、案内線材２０の一端部が受け渡されることになる（図１参照）。この際、棒材２のアーム１０の上端部（挿通部２５）は、引込線５６，…よりも上方に位置するため、案内線材２０は、挿通部２５の環状部２５ｂに挿通された状態で支持されるようになる。即ち、図６（ｂ）に示すように、案内線材２０は、引込線５６，…を跨ぐように、換言すれば、引込線５６，…に接触することなく架設されることになる。この状態で、一方の作業者Ａは、案内線材２０の他端部に、吊線（メッセンジャーワイヤ）Ｃの一端部を連結する（図６（ｃ）参照）。
【００２８】
続いて、図６（ｄ）に示すように、他方の作業者Ｂが、案内線材２０の一端部を引っ張って、吊線Ｃを手繰り寄せる。この際、上述したように、案内線材２０が挿通部２５の環状部２５ｂに挿通支持されているので、吊線Ｃも挿通部２５の環状部２５ｂに支持されるようになり、引込線５６，…に接触することなく、電柱５１，…間に吊線Ｃを架設することができる。
【００２９】
なお、本発明は、前記各実施形態に限定されることなく、発明の要旨を逸脱しない限りにおいて、適宜、必要に応じて、設計変更や改良等を行うのは自由であり、また、その構成の組み合わせも自由である。
【００３０】
例えば、前記実施形態では、鶴巻バネ１５を使用した棒材２を例にとって説明しているが、図７（ａ）、（ｂ）に示すように、可撓性を有する一本の棒材であってもよい。該棒材２００を備えた架設線用補助装置１００は、前記実施形態と同様に、上端部に、案内線材２０が挿通されるとともに、飛体部材３０が当接（係止）される環状の挿通部（係止部）２５０が取り付けられている。そして、棒材２００の挿通部２５０に、飛体部材３０が連結された案内線材２０を挿通して、案内線材２０を斜め下方に引っ張って、図７（ａ）に示す起立（直立）した状態の棒材２００の上端部２００ａを、図７（ｂ）に示すように、棒材２００の全体が緩やかに撓むようにする。そして、案内線材２０を離すと、棒材２００の弾性力によって、飛体部材３０が一方の作業者Ａから引込線５６，…を飛び越えて、他方の作業者Ｂの位置に落下することになる（図示せず）。
【００３１】
また、前記実施形態の場合、飛体部材３０に案内線材２０を連結するようにしたが、案内線材２０の代わりに、飛体部材３０に吊線Ｃを直接連結するようにしてもよい。
【００３２】
また、前記実施形態の場合、飛体部材３０として、空気抵抗を少なくするために、複数の襞部３１〜３３を有する構成としたが、合成樹脂で作製された軟質の球体や円錐体であってもよい。要は、飛体部材として、容易に取り扱えると共に、風などの抵抗をできる限り受けない形状と重さを有し、所望の位置に正確に落下させることができるものであればよい。
【００３３】
また、前記実施形態の場合、挿通部２５を棒材２の上端部２ａに取り付けるようにしたが、二股状の挿通部であってもよい。あるいは、棒材２の上端部２ａに、軸線に対して直交する方向に形成される挿通孔や、棒材２の上端部２ａの端面から軸線に沿って形成される挿通溝であってもよい。但し、挿通溝の場合、新規の架設線（吊線や光ケーブル）が容易に逸脱しない程度に深さを設定する必要がある。要は、挿通部２５，挿通孔、挿通溝は、飛体部材３０を棒材２の軸線に対して交差するように係止できる係止部としての機能を有するものであればよい。
【００３４】
また、上述したように、棒材に鶴巻バネを設けたり、棒材自体の弾性を利用したりして、飛体部材を射出することも考えられるが、支柱に回動自在に支持されたアームを、線材で操作して、飛体部材を射出することも考えられる。このような架設線用補助装置について、図８〜図１０を参照して説明する。これらの図において、図２及び図３と同一符号は同一もしくは相当するものを示し、異なる点は、棒材の構成と、該棒材に連結される棒材の操作用線材である。
【００３５】
棒材２０１は、図８に示すように、直立して設置される支柱３００と、該支柱３００の上端部に回動自在に支持されたアーム１０Ａと、該アーム１０Ａに連結された操作用線材２０Ａとを有している。
【００３６】
該支柱３００は、図９に示すように、支柱３００の上部に、支柱３００の直径線の延長線上で、かつ正反対の位置で回転自在に支持された上下一対のローラ４０，４１と、各ローラ４０，４１の間に、上側のローラ４０の下周面から下側のローラ４１の上周面に向って傾斜して形成された挿通孔４２と、支柱３００の上端部に軸方向に沿って形成されたＵ字形状の第１切欠部４３と、該第１切欠部４３に対向する位置に、第１切欠部４３よりも浅く形成された第２切欠部４４と、該第２切欠部４４の真下に形成されたストッパ４５とを備えている。
【００３７】
上側のローラ４０は、図９に示すように、アーム１０Ａの軸心の延長線が上側のローラ４０の外周面に対して接線方向に位置するように設けられている。一方、下側のローラ４１は、上側のローラ４０、挿通孔４２から導出された操作用線材２０Ａが下側のローラ４１の外周面に対して接線方向に位置するように設けられている。
【００３８】
挿通孔４２は、各ローラ４０，４１の外周面に対して操作用線材２０Ａが接線方向に当接するように上側から下側に向けて傾斜して形成されている。つまり、各ローラ４０，４１と挿通孔４２とによって、操作用線材２０Ａにテンションが掛かるようになり、アーム１０Ａを操作用線材２０Ａによって回動操作することができるようになる。
【００３９】
第１切欠部４３は、第２切欠部４４よりも深く形成されている理由は、後述するアーム１０Ａの連結杆４６の回動を円滑に行えるように、支柱３００の上端部に逃げ部を形成するためである。
【００４０】
第２切欠部４４は、第１切欠部４３よりも浅く形成されている理由は、アーム１０Ａを水平支持するためである。つまり、アーム１０Ａは、第２切欠部４４によって、水平位置（スタンバイ位置）に支持されるとともに、後述するストッパ４５の当接面４５ａによって、起立した位置（射出位置）に支持される。
【００４１】
ストッパ４５は、アーム１０Ａの基端部の外周面に当接し、かつ所定の角度、例えば１５〜３０度程度に傾斜する当接面４５ａを有している。そして、この当接面４５ａに、アーム１０Ａの基端部が当接することで、図９に示すように、アーム１０Ａが起立した状態、即ち鉛直方向からやや傾斜した状態で支持されることになる。この傾斜位置は、換言すれば、飛体部材３０が射出される射出位置になっている。
【００４２】
アーム１０Ａは、基端部の端面の中央部に、軸心方向に沿って連結杆４６が突出して形成されている。この連結杆４６には、挿通部２５１から飛体部材３０が射出するように、棒材２０１を操作する操作用線材２０Ａが連結される。また、アーム１０Ａの回転支点による連結杆４６の円弧軌跡は、支柱３００の第１切欠部４３の内側を通ることになる。即ち、図９に示すように、支柱３００に対してアーム１０Ａは、倒れた位置（水平位置）と起立した位置（鉛直方向からやや傾斜した位置）とを円滑に回転移動できるように構成されている。そして、図１０に示すように、アーム１０Ａが起立した状態では、その上端部２０１ａは、他の架設線５６，…の上方に位置することになる。
【００４３】
操作用線材２０Ａは、連結杆４６の先端部に、フックまたは手結びによって一端部が連結されるもので、上側のローラ４０の下側周面に巻き掛けられた後、挿通孔４２に挿通されて外部に導出され、下側のローラ４１の上側周面に巻き掛けられて、作業者の手元に導出される。
【００４４】
このように構成された架設線用補助装置は、まず、図８に示すように、前記実施形態と同様に、挿通部２５１に新規の架設線Ｃに一端部が連結された案内線材２０を挿通部２５１に挿通して、飛体部材３０の底面を挿通部２５１に当接（係止）する一方、アーム１０Ａを第２切欠部４４の内壁部に当接させて、アーム１０Ａの水平位置、即ちスタンバイ位置にセットする。そして、水平支持されたアーム１０Ａの連結杆４６に、操作用線材２０Ａの一端部を連結するとともに、各ローラ４０，４１、挿通孔４２を通して外部へ導出する。
【００４５】
この状態、即ち図９の実線に示すＳ字状態の操作用線材２０Ａを引っ張ると、鎖線に示すように、Ｚ字状態に引っ張られるようになる。この際、アーム１０Ａは、図１０に示すように、スタンバイ位置から射出位置に回動するようになり、挿通部２５１から飛体部材３０が射出されることになる。つまり、棒材２０１の上端部２０１Ａが他の架設線５６，…の上方に位置するので、案内線材２０に連結された新規の架設線Ｃは、他の架設線５６，…を跨ぐようになる。
【００４６】
また、図８〜図１０に示す架設線用補助装置の場合、操作用線材２０Ａをアーム１０Ａの連結杆４６に連結して、アーム１０Ａを回動操作するようにしたが、飛体部材３０に連結された新規の架設線Ｃまたは案内線材２０を利用して、アーム１０Ａを回動操作するようにしてもよい。この場合、操作用線材２０Ａは不要であり、支柱３００およびアーム１０Ａの内部に操作用線材２０Ａを通すようにして、挿通部２５１に連結するのが好ましい。
【００４７】
また、図２および図７に示す架設線用補助装置において、棒材２のアーム１０，棒材２００、または棒材２の挿通部２５，棒材２００の挿通部２５０に操作用線材２０Ａを連結するようにしてもよい。
【符号の説明】
【００４８】
１，１００…架設線用補助装置、２，２００，２０１…棒材、２ａ，２００ａ，２０１ａ…上端部、３…支柱、４…支軸、５…三脚、６…下係止杆、１０，１０Ａ…アーム、１１…軸受け部、１１ａ…支持片、１１ｂ…連結片、１２…上係止杆、１５…鶴巻バネ、１６…ストッパ、２０…案内線材、２０Ａ…操作用線材、２１…係止リング、２２…可動片、２５，２５０，２５１…挿通部、２５ａ…支持部、２５ｂ…環状部、３０…飛体部材、３１〜３３…第１〜第３スカート部、３４…錘、３５…連結部材、３５ａ…連結孔、４０，４１…ローラ、４２…挿通孔、４３…第１切欠部、４４…第２切欠部、４５…ストッパ、４６…連結杆、５０…作業現場、５１…電柱、５２…腕金、５３…高圧架空電線、５５…架空弱電流電線、５６…引込線（他の架設線）、Ａ，Ｂ…作業者、Ｃ…吊線（新規の架設線）
【図１】
2011166978.tif 000003
【図２】
2011166978.tif 000004
【図３】
2011166978.tif 000005
【図４】
2011166978.tif 000006
【図５】
2011166978.tif 000007
【図６】
2011166978.tif 000008
【図７】
2011166978.tif 000009
【図８】
2011166978.tif 000010
【図９】
2011166978.tif 000011
【図１０】
2011166978.tif 000012